(57)【要約】      （修正有）【課題】複数公営競技主催者のＩＤとパスワードの初期登録を行い、共通の画面から入金、投票および精算等が行える在宅投票を処理する汎用端末装置、在宅投票処理方法および在宅投票サービス提供プログラムを提供する。【解決手段】在宅投票処理システムから所望のサービスの提供を受けるインターネットに接続された汎用端末装置であって、初回に１回のみ基本情報を登録する初期登録データベースと、クライアント認証処理とインターネット経由で受信される公営競技主催投票サービス提供サーバとネット銀行サービス提供サーバの自動認証処理後に、前記公営競技主催投票サービスの画面を取り込んで共通画面を作成するオペレーション統一処理手段と、前記オペレーション統一処理手段の出力を共通画面インタフェース経由して所望する公営競技主催投票サービスの処理選択画面とネット銀行サービスの処理選択画面とを表示する画面選択処理手段を備える。【選択図】図１
2007328732.tif 000002
【特許請求の範囲】
【請求項１】
各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置であって、
初回に１回のみ基本情報を登録する初期登録データベースと、
クライアント認証処理とインターネット経由で受信される公営競技主催投票サービス提供サーバとネット銀行サービス提供サーバの自動認証処理後に、前記公営競技主催投票サービスの画面を取り込んで共通画面を作成するオペレーション統一処理手段と、
前記オペレーション統一処理手段の出力を共通画面インタフェース経由して所望する公営競技主催投票サービスの処理選択画面と、ネット銀行サービスの処理選択画面とを表示する画面選択処理手段を備えることを特徴とする在宅投票を処理する汎用端末装置。
【請求項２】
請求項１記載の在宅投票を処理する汎用端末装置において、
前記基本情報は、前記公営競技主催投票サービス提供サーバの投票ＩＤとパスワード、前記ネット銀行サービス提供サーバのＩＤとパスワードおよびクライアントソフトのＩＤとパスワードであることを特徴とする在宅投票を処理する汎用端末装置。
【請求項３】
請求項１記載の在宅投票を処理する汎用端末装置において、
前記公営競技主催投票サービスの処理選択画面は投票操作手順が表示され、前記ネット銀行サービスの処理選択画面は入金操作手順が表示されることを特徴とする在宅投票を処理する汎用端末装置。
【請求項４】
各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置の在宅投票処理方法であって、
初回に１回のみ基本情報を初期登録データベースに登録を行う手順と、
クライアント認証処理とインターネット経由で受信される公営競技主催投票サービス提供サーバとネット銀行サービス提供サーバの自動認証処理を行う手順と、
前記公営競技主催投票サービスの画面を取り込んで共通画面を作成する手順と、
所望する公営競技主催投票サービスと所望するネット銀行サービスの共通画面化された処理選択画面を表示する手順と、
を含むことを特徴とする在宅投票処理方法。
【請求項５】
各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置の在宅投票サービス提供プログラムであって、
初回に１回のみ基本情報を初期登録データベースに登録を行う手順と、
クライアント認証処理とインターネット経由で受信される公営競技主催投票サービス提供サーバとネット銀行サービス提供サーバの自動認証処理を行う手順と、
前記公営競技主催投票サービスの画面を取り込んで共通画面を作成する手順と、
所望する公営競技主催投票サービスと所望するネット銀行サービスの共通画面化された処理選択画面を表示する手順と、
を実行させるための在宅投票サービス提供プログラム。
【発明の詳細な説明】
【技術分野】
【０００１】
本発明は、競馬や競輪等の公営競技における投票をインターネットを介して在宅で行う在宅投票を処理する汎用端末装置、その在宅投票処理方法および在宅投票サービス提供プログラムに係り、特に、各種公営競技の主催者および各取扱い銀行の画面インタフェースと、各処理のＩＤ／パス初期登録オペレーションの統一化を図った在宅投票を処理する汎用端末装置、その在宅投票処理方法および在宅投票サービス提供プログラムに関するものである。
【背景技術】
【０００２】
現在、競馬、競輪および競艇などの公営競技業界においては、インターネットによる投票が実施され、さらに、インターネットバンク (ネット銀行）を利用した即時入金・決済による投票も可能となってきている。
【０００３】
例えば、加入者が、インターネットを介してアクセス可能な銀行に開設される銀行口座を加入者口座として管理し、公営競技の主催者が、加入者から投票券購入資金の入金申込みがあった際に、その投票券の購入資金を加入者の銀行口座から主催者の口座へ振り込む入出金決済方法及びシステムが開示されている。（例えば、特許文献１参照。）。
【０００４】
図５は、この従来技術による在宅投票システムの概念図である。図５において、１はＡ主催投票サービス（競輪）提供サーバ、２はＢ主催投票サービス（競馬）提供サーバ、３はＣ主催投票サービス（競艇）提供サーバ、４はネット銀行サービス提供サーバを示し、１１はＡ主催者（競輪）接続中の情報端末、１２はＢ主催者（競馬）接続中の情報端末、１３はＣ主催者（競艇）接続中の情報端末、１４はネットバンク接続中の情報端末を示し、２１はＡ主催者（競輪）接続中の情報端末に表示される認証ログイン画面であり、２２はＢ主催者（競馬）接続中の情報端末に表示される認証ログイン画面であり、２３はＣ主催者（競艇）接続中の情報端末に表示される認証ログイン画面であり、２４はネット銀行接続中の情報端末に表示される認証ログイン画面を示す。
【０００５】
現在、公営競技には競輪、競馬および競艇があり、それぞれの公営競技を扱う異なる主催者が独自のギャンブルトレードを行うサービスを提供している。また同一種類の公営競技においても、例えば、「日本中央競馬会」と「地方競馬全国協会」のように別組織が存在するため、それぞれの公営競技のインターネット投票サービス提供サーバ１〜３も複数存在し、それぞれのサービス提供サーバにネットワーク網経由で接続中の情報端末１１〜１３の認証ログイン画面２１〜２３に図示されるように、それぞれのＩＤとパスワードが異なっている。
【０００６】
図６は、従来技術による在宅投票システムのブロック図である。図６において、３１はＡ主催投票サービスを提供するＷＥＢサーバに蓄積したコンテンツを閲覧するためのＷＥＢブラウザＡ、３２はＢ主催投票サービスを提供するＷＥＢサーバに蓄積したコンテンツを閲覧するためのＷＥＢブラウザＢであり、３３はネット銀行Ａサービスを提供するＷＥＢサーバに蓄積したコンテンツを閲覧するためのＷＥＢブラウザＣ、３４はネット銀行Ｂサービスを提供するＷＥＢサーバに蓄積したコンテンツを閲覧するためのＷＥＢブラウザＤである。
【０００７】
そして、それぞれのＷＥＢ画面インタフェースは、Ａ主催投票ＷＥＢ画面インタフェース、Ｂ主催投票ＷＥＢ画面インタフェース、Ａ銀行ＷＥＢ画面インタフェースおよびＢ銀行ＷＥＢ画面インタフェースでそれぞれ異なるため、ＷＥＢブラウザ（ＷＥＢサーバに蓄積したコンテンツを閲覧するためのクライアントソフト）による、ＩＤとパスワード入力及び投票操作並びに入金精算操作が異なり、それぞれの操作性の煩雑を来たすという問題点があった。
【０００８】
図７は、競馬インターネット投票画面の一例を示し、図８は、競輪インターネット投票画面の一例を示す。すなわち、それぞれの在宅投票処理システムから所望のサービスの提供を受けるインターネットに接続された汎用端末装置において、図７に示すログイン画面では、６桁の加入者番号、４桁の暗証番号および６桁のアルファベット符号によるインターネットＩＤで有るのに対し、図８に示すログイン画面では、８桁のインターネット投票認証ＩＤ、５〜８桁のインターネット投票パスワード、６桁の電話投票加入者番号、４桁の電話投票暗証番号を必要とし、両者のログイン画面と操作内容は全く異なる。
【特許文献１】特開２００４−１７１５８２号公報
【発明の開示】
【発明が解決しようとする課題】
【０００９】
公営競技の馬券、車券などギャンブル取引を行うファンは、特定の公営競技だけでは飽き足らず、各種公営競技のギャンブル取引を行うことが一般的である。前述した従来技術によれば、各種公営競技の異なる主催の複数投票取引きを連続して操作する際に、煩雑な操作を伴うことから、入力操作のミスを誘発し、思わぬ損害を被る場合も起こる危険性があった。
【００１０】
本発明は、上述した従来の問題点を解消するために、ＷＥＢブラウザの基本機能を使用して、認証方法と画面遷移を統一し、上位のシステムに影響を与えることなく情報端末で吸収し、複数主催者のＩＤとパスワードの初期登録を行い、共通の画面から入金、投票および精算等が行える在宅投票を処理する汎用端末装置、在宅投票処理方法および在宅投票サービス提供プログラムを提供することを課題とする。
【課題を解決するための手段】
【００１１】
上記課題を解決するための第１の発明は、各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置であって、初回に１回のみ基本情報を登録する初期登録データベースと、クライアント認証処理とインターネット経由で受信される公営競技主催投票サービス提供サーバとネット銀行サービス提供サーバの自動認証処理後に、前記公営競技主催投票サービスの画面を取り込んで共通画面を作成するオペレーション統一処理手段と、前記オペレーション統一処理手段の出力を共通画面インタフェース経由して所望する公営競技主催投票サービスの処理選択画面と、ネット銀行サービスの処理選択画面とを表示する画面選択処理手段を備えている。
【００１２】
この第１の発明によれば、各公営競技における投票サービスを提供する個別の投票サービスの画面が共通画面に変更されるため、ギャンブルトレード操作性の向上した在宅投票を処理する汎用端末装置を提供できる。
【００１３】
第２の発明は、第１の発明に記載の在宅投票を処理する汎用端末装置において、前記基本情報は、前記公営競技主催投票サービス提供サーバの投票ＩＤとパスワード、前記ネット銀行サービス提供サーバのＩＤとパスワードおよびクライアントソフトのＩＤとパスワードである。
【００１４】
この第２の発明によれば、初回に手動で１回のみ主催毎に異なるＩＤとパスワードを初期登録するだけで、共通化した画面により入金、投票および精算などができる在宅投票を処理する汎用端末装置を提供できる。
【００１５】
第３の発明は、第１の発明に記載の在宅投票を処理する汎用端末装置において、前記公営競技主催投票サービスの処理選択画面は投票操作手順が表示され、前記ネット銀行サービスの処理選択画面は入金操作手順が表示される。
【００１６】
この第３の発明によれば、各公営競技における投票サービスの入金処理、投票処理および精算処理をスムーズに行うことができる在宅投票を処理する汎用端末装置を提供できる。
【００１７】
第４の発明は、各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置の在宅投票処理方法であって、初回に１回のみ基本情報を初期登録データベースに登録を行う手順と、クライアント認証処理とインターネット経由で受信される公営競技主催投票サービス提供サーバとネット銀行サービス提供サーバの自動認証処理を行う手順と、前記公営競技主催投票サービスの画面を取り込んで共通画面を作成する手順と、所望する公営競技主催投票サービスと所望するネット銀行サービスの共通画面化された処理選択画面を表示する手順とを含んでいる。
【００１８】
この第４の発明によれば、各公営競技における投票サービスを提供する個別の投票サービスの画面が共通画面に変更されるため、ギャンブルトレード操作性の向上した在宅投票を処理する汎用端末装置の在宅投票処理方法を提供できる。
【００１９】
第５の発明は、各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置の在宅投票サービス提供プログラムであって、汎用端末装置に初回に１回のみ基本情報を初期登録データベースに登録を行う手順と、クライアント認証処理とインターネット経由で受信される公営競技主催投票サービス提供サーバとネット銀行サービス提供サーバの自動認証処理を行う手順と、前記公営競技主催投票サービスの画面を取り込んで共通画面を作成する手順と、所望する公営競技主催投票サービスと所望するネット銀行サービスの共通画面化された処理選択画面を表示する手順とを実行させるためのプログラムである。      
【００２０】
この第５の発明によれば、各公営競技における投票サービスを提供する個別の投票サービスの画面が共通画面に変更されるため、ギャンブルトレード操作性の向上した在宅投票を処理する汎用端末装置の在宅投票サービス提供プログラムを提供できる。
【発明の効果】
【００２１】
以上、本発明によれば、
（１）ＷＥＢブラウザＩＥ（インターネットエクスプローラ）の基本機能を使用することにより、公営競技インターネット投票の主催者ごとに異なる認証方法と画面遷移の統一が可能である。
【００２２】
（２）ブラウザの標準機能を使用することにより、上位のシステムに影響することなく情報端末側で機能の実現を吸収できる。
【００２３】
（３）複数主催者のＩＤとパスワードの初期登録を行うことにより、共通の画面から入金操作、投票操作および精算操作等が可能である。
【発明を実施するための最良の形態】
【００２４】
以下、本発明の実施の形態について、図を参照しながら説明する。なお、全図を通じて理解を容易にするために同様箇所には、同一符号を付して示すものとする。
【００２５】
図１は、本発明の一実施形態における在宅投票システムの全体構成図である。同図において、汎用端末装置６は、インターネット５を経由してＡ主催投票サービス提供サ−バ１、Ｂ主催投票サービス提供サ−バ２、ネット銀行Ａサ−ビス提供サ−バ４ａおよびネット銀行Ｂサ−ビス提供サ−バ４ｂに接続し、それぞれの主催投票サービス提供サーバから投票ＷＥＢ画面インタフェースを得るとともに、それぞれのネット銀行サービス提供サーバから入金・精算ＷＥＢ画面インタフェースを得る。
【００２６】
汎用端末装置６内において、６１は前述の各サーバ１、２、４ａ、４ｂからインターネット５経由で受信するそれぞれの各主催者、各銀行の自動認証を含む画面インタフェースの変換処理を行うとともに、各処理のＩＤ／ＰＡＳＳ（パスワード）登録処理を行うオペレーション統一処理部であり、６２は初回に手動で１回のみ基本情報を登録するＩＤ／ＰＡＳＳ（パスワード）初期登録ＤＢ（データベース）であり、６３はオペレーション統一処理部６１で共通化された各主催投票ＷＥＢ画面と各銀行入金・精算ＷＥＢ画面の共通画面インタフェースであり、６４〜６６は共通画面インタフェース６３より取出された共通画面による処理選択画面を表示する画面選択処理部Ａ〜Ｃである。
【００２７】
汎用端末装置６は、以上の構成により、主催者が異なる公営競技の投票ＷＥＢ画面において、またネット銀行が異なる入金・精算ＷＥＢ画面において、オッズ・払戻金表示内容の共通化、画面シーケンスの共通化および画面仕様の共通化が可能となり、ギャンブルトレード利用者は、操作性の良い在宅投票サービスを受けることができるようになる。
【００２８】
なお、ネット銀行投票会員の特長は、インターネットでの手続により、即時に勝馬投票券を購入することができ、即時に入出金ができるようになっている。
【００２９】
図２は、本発明の一実施形態におけるオペレーションの統一化の説明図である。同図において、７は画面インターフェース変換処理部であり、インターネットエクスプローラの基本機能を使用し、通信の論理的な接続の開始から終了までのセッションをアプリケーションにて制御する機能と、各業界と各システム毎のＨＴＴＰ（Hypertext Transfer Protocol)データを独自の共通画面に変換する機能を有する。８はギャンブルトレードソフトであり、その標準機能を使用して、先ずＩＤとパスワードの初期登録を行う。次に画面インタフェース変換処理部７で作成した独自の共通画面から、以下の処理を実行する。
（１）共通の画面から、入金・投票・精算処理
（２）収支計算など処理
（３）自動配分投票機能の提供処理
図３は、本発明の一実施形態における取引サービス提供フローチャート（その１）である。以下、図３の動作フローについて、図１と図２を用いて説明する。
【００３０】
Ｓ１．汎用端末装置６は、インターネットによる公営競技ギャンブルトレードを実行するに際して、複数主催者および複数ネット銀行の基本情報の初期登録を行う。
【００３１】
Ｓ２．汎用端末装置６は、基本情報登録として、複数主催者および複数ネット銀行のＩＤとパスワードをＩＤ／ＰＡＳＳ（パスワード）初期登録ＤＢ（データベース）６２に登録する。これら基本情報については、初回に手動で１回のみ情報を登録する。
【００３２】
Ｓ３. 次に、汎用端末装置６は、基本登録情報として、クライアントソフトのＩＤとパスワードを登録する。
【００３３】
図４は、本発明の一実施形態における取引サービス提供フローチャート（その２）である。以下に図４の動作フローについて、図１と図２を用いて説明する。
【００３４】
Ｓ１１．汎用端末装置６は、図３に示す初期登録を終了後に、トレードソフトの処理を開始する。
【００３５】
Ｓ１２．汎用端末装置６は、クライアントソフトの認証処理を行う。
【００３６】
Ｓ１３．汎用端末装置６は、Ａ主催投票サービス提供サーバ１、Ｂ主催投票サービス提供サーバ２、ネット銀行Ａサービス提供サーバ４a 、及びネット銀行Ｂサービス提供サーバ４b との自動認証処理を行う。
【００３７】
Ｓ１４. Ｓ１３による認証処理がＮＧの場合は、Ｓ１２のステップへ移行し、再度クライアントソフトの認証処理を実行する。Ｓ１３による認証処理がＹＥＳの場合は、次ステップへ移行する。
【００３８】
Ｓ１５. 認証された主催投票サービス提供サーバ（１、２）の画面とネット銀行サービス提供サーバ（４a 、４b)の画面を取り込む。
【００３９】
Ｓ１６. 取り込まれた各主催投票サービス提供サーバ（１、２）の画面とネット銀行サービス提供サーバ（４a 、４b)の画面を解析する。
【００４０】
Ｓ１７. 共通画面を作成する。
【００４１】
Ｓ１８. 所望する主催投票サービス提供サーバ（１、２）と所望するネット銀行サービス提供サーバ（４a 、４b)の処理選択を行う。
【００４２】
Ｓ１９. 画面に表示される手順に従って入金処理を行う。
【００４３】
Ｓ２０. 希望する投票券（馬券、車券など）の投票処理を行う。
【００４４】
以上の手順により、公営競技インターネット投票の主催者ごとに異なる認証方法と画面遷移の統一が図れ、上位のシステムに影響を与えることなく在宅投票サービスを処理することが可能となり、更に、異なる主催者によるインターネット投票サービスに対しても共通化された操作性の良い操作画面の提供が可能である。
【００４５】
以上の実施例を含む実施形態に関し、更に以下の付記を開示する。
【００４６】
（付記１）  各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置であって、初回に１回のみ基本情報を登録する初期登録データベースと、クライアント認証処理とインターネット経由で受信される公営競技主催投票サービス提供サーバとネット銀行サービス提供サーバの自動認証処理後に、前記公営競技主催投票サービスの画面を取り込んで共通画面を作成するオペレーション統一処理手段と、前記オペレーション統一処理手段の出力を共通画面インタフェース経由して所望する公営競技主催投票サービスの処理選択画面と、ネット銀行サービスの処理選択画面とを表示する画面選択処理手段を備えることを特徴とする在宅投票を処理する汎用端末装置。
【００４７】
（付記２）  付記１記載の在宅投票を処理する汎用端末装置において、前記基本情報は、前記公営競技主催投票サービス提供サーバの投票ＩＤとパスワード、前記ネット銀行サービス提供サーバのＩＤとパスワードおよびクライアントソフトのＩＤとパスワードであることを特徴とする在宅投票を処理する汎用端末装置。
【００４８】
（付記３）  付記１記載の在宅投票を処理する汎用端末装置において、前記公営競技主催投票サービスの処理選択画面は投票操作手順が表示され、前記ネット銀行サービスの処理選択画面は入金操作手順が表示されることを特徴とする在宅投票を処理する汎用端末装置。
【００４９】
（付記４）  各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置の在宅投票処理方法であって、初回に１回のみ基本情報を初期登録データベースに登録を行う手順と、クライアント認証処理とインターネット経由で受信される公営競技主催投票サービス提供サーバとネット銀行サービス提供サーバの自動認証処理を行う手順と、前記公営競技主催投票サービスの画面を取り込んで共通画面を作成する手順と、所望する公営競技主催投票サービスと所望するネット銀行サービスの共通画面化された処理選択画面を表示する手順と、を含むことを特徴とする在宅投票処理方法。
【００５０】
（付記５）  付記４記載の在宅投票処理方法において、前記基本情報は、前記公営競技主催投票サービス提供サーバの投票ＩＤとパスワード、前記ネット銀行サービス提供サーバのＩＤとパスワードおよびクライアントソフトのＩＤとパスワードであることを特徴とする在宅投票処理方法。
【００５１】
（付記６）  付記４記載の在宅投票処理方法において、前記公営競技主催投票サービスの処理選択画面は投票操作手順が表示され、前記ネット銀行サービスの処理選択画面は入金操作手順が表示されることを特徴とする在宅投票処理方法。
【００５２】
（付記７）  各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置の在宅投票サービス提供プログラムであって、初回に１回のみ基本情報を初期登録データベースに登録を行う手順と、クライアント認証処理とインターネット経由で受信される公営競技主催投票サービス提供サーバとネット銀行サービス提供サーバの自動認証処理を行う手順と、前記公営競技主催投票サービスの画面を取り込んで共通画面を作成する手順と、所望する公営競技主催投票サービスと所望するネット銀行サービスの共通画面化された処理選択画面を表示する手順と、を実行させるための在宅投票サービス提供プログラム。      
【００５３】
（付記８）  付記７記載の在宅投票サービス提供プログラムにおいて、前記基本情報は、前記公営競技主催投票サービス提供サーバの投票ＩＤとパスワード、前記ネット銀行サービス提供サーバのＩＤとパスワードおよびクライアントソフトのＩＤとパスワードであることを特徴とする在宅投票サービス提供プログラム。
【００５４】
（付記９）  付記７記載の在宅投票サービス提供プログラムにおいて、在宅投票を処理する汎用端末装置において、前記公営競技主催投票サービスの処理選択画面は投票操作手順が表示され、前記ネット銀行サービスの処理選択画面は入金操作手順が表示されることを特徴とする在宅投票サービス提供プログラム。
【００５５】
（付記１０）  各公営競技における投票サービスを提供する個別の投票サービス提供サーバと、前記投票サービス提供サーバと連動して投票サービスを受ける会員データ及び会員銀行口座による入金及び決済を行うネット銀行サービス提供サーバとを有する在宅投票処理システムから所望のサービスの提供を受けるインターネットに接続された汎用端末装置読み取り可能菜記録媒体であって、初回に１回のみ基本情報を初期登録データベースに登録を行う手順と、クライアント認証処理とインターネット経由で受信される公営競技主催投票サービス提供サーバとネット銀行サービス提供サーバの自動認証処理を行う手順と、前記公営競技主催投票サービスの画面を取り込んで共通画面を作成する手順と、所望する公営競技主催投票サービスと所望するネット銀行サービスの共通画面化された処理選択画面を表示する手順と、を実行させるためのプログラムを記録した汎用端末装置読み取り可能な記録媒体。
【産業上の利用可能性】
【００５６】
本発明は、複数のクライアントから操作者が管理対象の通信ネットワークを制御を行うことができるシステムにおいて、他クライアントとの排他制御による一括管理による共同運用が可能であり、緊急時に一時的に操作権限を取得でき、更に操作記録情報の伝達により操作連携を実現したネットワーク監視・制御装置に利用できる。
【図面の簡単な説明】
【００５７】
【図１】本発明の一実施形態における在宅投票システムの全体構成図である。
【図２】本発明の一実施形態におけるオペレーションの統一化の説明図である。
【図３】本発明の一実施形態における取引サービス提供フローチャート（その１）である。
【図４】本発明の一実施形態における取引サービス提供フローチャート（その２）である。
【図５】従来技術による在宅投票システムの概念図である。
【図６】従来技術による在宅投票システムのブロック図である。
【図７】競馬インターネット投票画面の一例である。
【図８】競輪インターネット投票画面の一例である。
【符号の説明】
【００５８】
１    Ａ主催投票サービス提供サーバ
２    Ｂ主催投票サービス提供サーバ
３    Ｃ主催投票サービス提供サーバ
４    ネット銀行サービス提供サーバ
４ａ    ネット銀行Ａサービス提供サーバ
４ｂ    ネット銀行Ｂサービス提供サーバ
５    インターネット
６    汎用端末装置
７    画面インタフェース変換処理部
８    ギャンブルトレードソフト
１１    Ａ主催者（競輪）対応端末
１２    Ｂ主催者（競馬）対応端末
１３    Ｃ主催者（競艇）対応端末
１４    ネットバンク対応端末
２１    Ａ主催者（競輪）対応認証ログイン画面
２２    Ｂ主催者（競馬）対応認証ログイン画面
２３    Ｃ主催者（競艇）対応認証ログイン画面
２４    ネットバンク対応認証ログイン画面
３１    ＷＥＢブラウザＡ
３２    ＷＥＢブラウザＢ
３３    ＷＥＢブラウザＣ
３４    ＷＥＢブラウザＤ
６１    オペレーション統一処理部
６２    ＩＤ／パス初期登録ＤＢ
６３    共通画面インタフェース
６４    画面選択処理部Ａ
６５    画面選択処理部Ｂ
６６    画面選択処理部Ｃ  
【図１】
2007328732.tif 000003
【図２】
2007328732.tif 000004
【図３】
2007328732.tif 000005
【図４】
2007328732.tif 000006
【図５】
2007328732.tif 000007
【図６】
2007328732.tif 000008
【図７】
2007328732.tif 000009
【図８】
2007328732.tif 000010